(57)【特許請求の範囲】
【請求項１】
近距離無線通信技術ＮＦＣによりＷｉ−Ｆｉ接続を行う方法であって、
Ｗｉ−Ｆｉホットスポット所有者端末がＷｉ−Ｆｉホットスポットを走査し、前記走査されたＷｉ−Ｆｉホットスポットの情報を編集し、Ｗｉ−Ｆｉホットスポット情報をＮＦＣタグに書き込むステップと、
Ｗｉ−Ｆｉホットスポットユーザ端末がＮＦＣタグにおけるＷｉ−Ｆｉホットスポット情報を読み取って解析するステップと、
すべての検索可能なＷｉ−Ｆｉホットスポットを走査し、解析されたＷｉ−Ｆｉホットスポット情報とマッチングされるＷｉ−Ｆｉホットスポットを検索して接続するステップとを含むことを特徴とするＮＦＣによりＷｉ−Ｆｉ接続を行う方法。
【請求項２】
前記Ｗｉ−Ｆｉホットスポット所有者端末がＷｉ−Ｆｉホットスポットを走査する前に、当該方法は、端末がＮＦＣ機能とＷｉ−Ｆｉ機能を起動するステップをさらに含むことを特徴とする
請求項１に記載のＮＦＣによりＷｉ−Ｆｉ接続を行う方法。
【請求項３】
前記走査されたＷｉ−Ｆｉホットスポットの情報を編集する場合、当該方法は、
Ｗｉ−Ｆｉホットスポット情報をｗｉｆｉ:／／無線ネットワーク名ＳＳＩＤ／ｓｅｃｕｒｉｔｙ／ｐａｓｓｗｏｒｄのフォーマットに示し、ユニバーサルリソース識別子ＵＲＩタイプのＮＦＣデータ交換フォーマットＮＤＥＦ ｒｅｃｏｒｄにパッケージングするステップをさらに含むことを特徴とする
請求項１または２に記載のＮＦＣによりＷｉ−Ｆｉ接続を行う方法。
【請求項４】
前記Ｗｉ−Ｆｉホットスポットユーザ端末がＮＦＣタグを読み取る前に、当該方法は、端末がＮＦＣ機能を起動してＮＦＣタグを走査するステップをさらに含むことを特徴とする
請求項１に記載のＮＦＣによりＷｉ−Ｆｉ接続を行う方法。
【請求項５】
前記解析されたＷｉ−Ｆｉホットスポット情報は、ＳＳＩＤ、ｓｅｃｕｒｉｔｙおよびｐａｓｓｗｏｒｄを含むことを特徴とする
請求項３に記載のＮＦＣによりＷｉ−Ｆｉ接続を行う方法。
【請求項６】
近距離無線通信技術ＮＦＣによりＷｉ−Ｆｉ接続を行うシステムであって、
Ｗｉ−Ｆｉホットスポットを走査し、前記走査されたＷｉ−Ｆｉホットスポットの情報を編集し、Ｗｉ−Ｆｉホットスポット情報をＮＦＣタグに書き込むことに用いられるＷｉ−Ｆｉホットスポット所有者端末と、
Ｗｉ−Ｆｉホットスポット情報を記憶することに用いられるＮＦＣタグと、
ＮＦＣタグにおけるＷｉ−Ｆｉホットスポット情報を読み取って解析し、すべての検索可能なＷｉ−Ｆｉホットスポットを走査し、解析されたＷｉ−Ｆｉホットスポット情報とマッチングされるＷｉ−Ｆｉホットスポットを検索して接続することに用いられるＷｉ−Ｆｉホットスポットユーザ端末と、を備えることを特徴とするＮＦＣによりＷｉ−Ｆｉ接続を行うシステム。
【発明の詳細な説明】
【技術分野】
【０００１】
本発明は、移動通信技術分野に関し、特に、近距離無線通信技術（Ｎｅａｒ  Ｆｉｅｌｄ  Ｃｏｍｍｕｎｉｃａｔｉｏｎ：ＮＦＣ）によりＷｉ−Ｆｉ接続を行う方法、システムおよび端末に関する。
【背景技術】
【０００２】
現在、Ｗｉ−Ｆｉ技術の普及に伴い、空港、コーヒーショップ、ホテルなどの多くの公共場所には、無料のＷｉ―Ｆｉホットスポットが開設されている。Ｗｉ−Ｆｉが距離とパスワードのみによってユーザの接続を制限することができるので、Ｗｉ−Ｆｉホットスポットの所有者は、この場所以外のユーザからのＷｉ−Ｆｉ接続を防止し、そして他のユーザのホットリンクを回避するために、Ｗｉ−Ｆｉの接続パスワードを常に変更し、例えば、動的パスワードを使用し、ひいては、ある場所にユーザが携帯電話番号を入力する必要があり、動的パスワードをユーザにショートメッセージで送信し、一旦接続範囲を超えたら、ユーザが携帯電話番号を再送信する必要があり、ユーザの使用に不便をもたらす。
【０００３】
上記の説明から分かるように、従来の端末は、利用可能なネットワークを識別する場合、当該利用可能なネットワークが新しいネットワークであるかこの前にアクセスされたネットワークであるかにかかわらず、端末と当該ネットワークの無線接続がいずれも当該ネットワークの概括的な情報を端末にロードする必要があり、かつユーザが対応するインタラクティブな操作を行う必要がある。明らかに、従来のＷｉ−Ｆｉ接続の実現方法は、面倒であり且つ時間が掛り、ユーザ体験が悪い。
【０００４】
ＮＦＣは、非接触式無線周波数識別および相互接続技術であり、すべてのコンシューマエレクトロニクス製品のために１つの極めて便利な通信方式を提供している。ＮＦＣは、低価格で、使用しやすくおよびより豊かな直観性などの特徴を持つので、ある領域に発展潜在力を更に備えるように見える。ＮＦＣは、１つのチップ、１本のアンテナおよびいくらのソフトウェアの組み合わせにより、様々な設備の数センチ範囲での通信を実現し、コストが低く、一般的に２〜３ユーロだけである。ＮＦＣが普及された後、１つのタグと簡単なソフトウェアモジュールとの組み合わせだけで設備間の無線接続を実現でき、ユーザインタフェースを必要としない。
【発明の概要】
【発明が解決しようとする課題】
【０００５】
これに鑑みて、本発明の主な目的は、ユーザがＷｉ−Ｆｉ接続を行う場合にパスワードを入力する必要がなく、ユーザ体験を向上させることができる、ＮＦＣによりＷｉ−Ｆｉ接続を行う方法、システムおよび端末を提供することにある。
【課題を解決するための手段】
【０００６】
上記目的を実現するために、本発明の技術的スキームは、次のように実現される。
【０００７】
本発明に係る近距離無線通信技術（ＮＦＣ）によりＷｉ−Ｆｉ接続を行う方法は、
Ｗｉ−Ｆｉホットスポット所有者端末がＷｉ−Ｆｉホットスポットを走査し、前記走査されたＷｉ−Ｆｉホットスポットの情報を編集し、Ｗｉ−Ｆｉホットスポット情報をＮＦＣタグに書き込むステップと、Ｗｉ−Ｆｉホットスポットユーザ端末がＮＦＣタグにおけるＷｉ−Ｆｉホットスポット情報を読み取って解析するステップと、すべての検索可能なＷｉ−Ｆｉホットスポットを走査し、解析されたＷｉ−Ｆｉホットスポット情報とマッチングされるＷｉ−Ｆｉホットスポットを検索して接続するステップとを含む。
【０００８】
ここで、前記Ｗｉ−Ｆｉホットスポット所有者端末がＷｉ−Ｆｉホットスポットを走査する前に、当該方法は、端末がＮＦＣ機能とＷｉ−Ｆｉ機能を起動するステップをさらに含む。
【０００９】
ここで、前記走査されたＷｉ−Ｆｉホットスポットの情報を編集する場合、Ｗｉ−Ｆｉホットスポット情報をｗｉｆｉ:／／ ＳＳＩＤ／ｓｅｃｕｒｉｔｙ／ｐａｓｓｗｏｒｄのフォーマットに示し、そしてＵＲＩタイプのＮＦＣＮＤＥＦ ｒｅｃｏｒｄにパッケージングする。
【００１０】
ここで、前記Ｗｉ−Ｆｉホットスポットユーザ端末がＮＦＣタグを読み取る前に、当該方法は、端末がＮＦＣ機能を起動してＮＦＣタグを走査するステップをさらに含む。
【００１１】
ここで、前記解析されたＷｉ−Ｆｉホットスポット情報は、ＳＳＩＤ、ｓｅｃｕｒｉｔｙおよびｐａｓｓｗｏｒｄを含む。
【００１２】
また、本発明に係るＮＦＣによりＷｉ−Ｆｉ接続を行うシステムは、
Ｗｉ−Ｆｉホットスポットを走査し、前記走査されたＷｉ−Ｆｉホットスポットの情報を編集し、Ｗｉ−Ｆｉホットスポット情報をＮＦＣタグに書き込むことに用いられるＷｉ−Ｆｉホットスポット所有者端末と、
Ｗｉ−Ｆｉホットスポット情報を記憶することに用いられるＮＦＣタグと、
ＮＦＣタグにおけるＷｉ−Ｆｉホットスポット情報を読み取って解析し、すべての検索可能なＷｉ−Ｆｉホットスポットを走査し、解析されたＷｉ−Ｆｉホットスポット情報とマッチングされるＷｉ−Ｆｉホットスポットを検索して接続することに用いられるＷｉ−Ｆｉホットスポットユーザ端末と、を備える。
【００１３】
また、本発明に係る端末は、Ｗｉ−Ｆｉホットスポットを走査し、前記走査されたＷｉ−Ｆｉホットスポットの情報を編集し、Ｗｉ−Ｆｉホットスポット情報をＮＦＣタグに書き込むことに用いられる。
【００１４】
また、本発明に係る別の端末は、ＮＦＣタグにおけるＷｉ−Ｆｉホットスポット情報を読み取って解析し、すべての検索可能なＷｉ−Ｆｉホットスポットを走査し、解析されたＷｉ−Ｆｉホットスポット情報とマッチングされるＷｉ−Ｆｉホットスポットを検索して接続することに用いられる。
【００１５】
本発明に係るＮＦＣタグは、Ｗｉ−Ｆｉホットスポット情報を記憶することに用いられる。
【発明の効果】
【００１６】
本発明に係るＮＦＣによりＷｉ−Ｆｉ接続を行う方法、システムおよび端末では、Ｗｉ−Ｆｉホットスポット所有者端末がＷｉ−Ｆｉホットスポットを走査し、前記走査されたＷｉ−Ｆｉホットスポットの情報を編集し、Ｗｉ−Ｆｉホットスポット情報をＮＦＣタグに書き込んでおり、Ｗｉ−Ｆｉホットスポットユーザ端末がＮＦＣタグにおけるＷｉ−Ｆｉホットスポット情報を読み取って解析しており、全ての検索可能なＷｉ−Ｆｉホットスポットを走査し、解析されたＷｉ−Ｆｉホットスポット情報と同じＷｉ−Ｆｉホットスポットを検索して接続する。明らかに、本発明は、Ｗｉ−Ｆｉ接続を行う場合に、ユーザがパスワードを入力する必要がなく、全ての接続に関連する操作がいずれも端末により独立に完成され、ユーザ体験を向上させる。
【００１７】
また、ＮＦＣが低価格で、使用しやすくおよび直観性などの特徴を持つので、本発明の実現方法は、簡単であり、低コストである。
【図面の簡単な説明】
【００１８】
【図１】本発明に係るＮＦＣによりＷｉ−Ｆｉ接続を行う方法を実現するフローチャートである。
【図２】本発明に係るＷｉ−Ｆｉホットスポット情報をＮＦＣタグに書き込む実施例による方法を実現するフローチャートである。
【図３】本発明に係るＮＦＣタグにおけるＷｉ−Ｆｉホットスポット情報によってＷｉ−Ｆｉ接続を行う実施例による方法を実現するフローチャートである。
【図４】本発明に係るＮＦＣによりＷｉ−Ｆｉ接続を行うシステムの構造を示す図である。
【発明を実施するための形態】
【００１９】
本発明の基本的な考え方は、Ｗｉ−Ｆｉホットスポット所有者端末がＷｉ−Ｆｉホットスポットを走査し、前記走査されたＷｉ−Ｆｉホットスポットの情報を編集し、Ｗｉ−Ｆｉホットスポット情報をＮＦＣタグに書き込んでおり、
Ｗｉ−Ｆｉホットスポットユーザ端末がＮＦＣタグにおけるＷｉ−Ｆｉホットスポット情報を読み取って解析して、すべての検索可能なＷｉ−Ｆｉホットスポットを走査し、解析されたＷｉ−Ｆｉホットスポット情報とマッチングされるＷｉ−Ｆｉホットスポットを検索して接続するものである。 
以下、図面と具体的な実施例を参照して本発明をさらに詳しく説明する。
【００２０】
図１は本発明に係るＮＦＣによりＷｉ−Ｆｉ接続を行う方法の実現フローチャートである。図１に示すように、当該フローの実現ステップは、下記の通りである。
【００２１】
ステップ１０１：Ｗｉ−Ｆｉホットスポット所有者端末は、Ｗｉ−Ｆｉホットスポットを走査し、前記走査されたＷｉ−Ｆｉホットスポットの情報を編集し、Ｗｉ−Ｆｉホットスポット情報をＮＦＣタグに書き込む。
【００２２】
ステップ１０２：Ｗｉ−Ｆｉホットスポットユーザ端末は、ＮＦＣタグにおけるＷｉ−Ｆｉホットスポット情報を読み取って解析する。
【００２３】
ステップ１０３：すべての検索可能なＷｉ−Ｆｉホットスポットを走査し、解析されたＷｉ−Ｆｉホットスポット情報とマッチングされるＷｉ−Ｆｉホットスポットを検索して接続する。
【００２４】
以下、具体的な実施例を参照して本発明の方法を詳しく説明する。
【００２５】
本発明に係る方法のプロセスは、Ｗｉ−Ｆｉホットスポット所有者がＷｉ−Ｆｉホットスポット情報をＮＦＣタグに書き込むこと、及びユーザがＮＦＣタグにおける情報によってＷｉ−Ｆｉ接続を行うことの２つの部分に分けることができる。以下、この２つの部分をそれぞれ説明する。
【００２６】
まず、Ｗｉ−Ｆｉホットスポット所有者側端末により実行される操作を説明する。図２に示すように、処理ステップは、下記の通りである。
【００２７】
ステップ２０１：端末は、ＮＦＣ機能とＷｉ−Ｆｉ機能を起動する。
【００２８】
ここで、Ｗｉ−Ｆｉホットスポット所有者端末は、ＮＦＣ機能と無線ローカルエリアネットワーク（ＷＬＡＮ）機能を配置する必要があり、Ｗｉ−Ｆｉホットスポット所有者は、端末のＮＦＣ機能とＷｉ−Ｆｉ機能を起動し、前記ＮＦＣ機能が端末の内部に設置されたＮＦＣモジュールにより実現される。
【００２９】
ステップ２０２：すべての利用可能なＷｉ−Ｆｉホットスポットを走査し、Ｗｉ−ＦｉホットスポットがＮＦＣタグに書き込まれる必要があるかどうかを判断し、そうであれば、ステップ２０３を実行し、そうでなければ、プロセスを終了させる。
【００３０】
具体的には、端末は、すべての利用可能なＷｉ−Ｆｉホットスポットを走査し、走査されたＷｉ−ＦｉホットスポットがＮＦＣタグに書き込まれる必要があるかどうかを判断し、即ち、Ｗｉ−Ｆｉホットスポット所有者は、端末により走査されたＷｉ−Ｆｉホットスポットがユーザに提供される必要があるかどうかを確定し、そうであれば、ステップ２０３を続けて実行し、そうでなければ、現在のプロセスを終了させる。
【００３１】
前記Ｗｉ−Ｆｉホットスポットの走査過程は、従来技術であり、ここで詳しく説明されない。
【００３２】
ステップ２０３：前記Ｗｉ−Ｆｉホットスポットの情報を編集する。
【００３３】
具体的には、Ｗｉ−Ｆｉホットスポット所有者は、Ｗｉ−Ｆｉホットスポット情報が暗号化されることを望む場合、端末のＷｉ−Ｆｉ編集インターフェースにパスワードを入力することができ、このようにして、前記Ｗｉ−Ｆｉホットスポット情報がｗｉｆｉ:／／ＴＰ-ＬＩＮＫ／有線同等プライバシ（Ｗｉｒｅｄ  Ｅｑｕｉｖａｌｅｎｔ  Ｐｒｉｖａｃｙ：ＷＥＰ）／１２３４５６７８のような「ｗｉｆｉ:／／無線ネットワーク名（ＳＳＩＤ）／安全技術（ｓｅｃｕｒｉｔｙ）／パスワード（ｐａｓｓｗｏｒｄ）」のフォーマットに示されることができる。その後、Ｗｉ−Ｆｉホットスポット情報をユニバーサルリソース識別子（ＵＲＩ）タイプのＮＦＣデータ交換フォーマット（Ｔｈｅ ＮＦＣ Ｄａｔａ Ｅｘｃｈａｎｇｅ Ｆｏｒｍａｔ：ＮＤＥＦ）ｒｅｃｏｒｄにパッケージングする。
【００３４】
ステップ２０４：編集されたＷｉ−Ｆｉホットスポット情報をＮＦＣタグに書き込む。
【００３５】
具体的には、Ｗｉ−Ｆｉホットスポット情報がパッケージングされた後、端末のＮＦＣタグの書き込み機能を起動し、即ち、ＮＦＣタグを端末に近づけ、端末がＮＦＣタグを検出した場合、パッケージングされたＷｉ−Ｆｉホットスポット情報をＮＦＣタグに書き込んでおり、もちろん、ＮＦＣタグを検出しない場合、現在のプロセスを終了させる。
【００３６】
以下、Ｗｉ−Ｆｉホットスポットユーザ側端末により実行される操作を説明する。図３に示すように、処理ステップは、下記の通りである。
【００３７】
ステップ３０１：端末は、ＮＦＣ機能を起動する。
【００３８】
具体的には、Ｗｉ−Ｆｉホットスポットユーザは、端末のＮＦＣ機能を起動し、前記端末がＮＦＣ機能を配置する必要があり、ＮＦＣ機能が端末の内部に設置されたＮＦＣモジュールにより実現される。
【００３９】
ステップ３０２：端末は、ＮＦＣタグを走査し、ＮＦＣタグにおける内容を読み取って解析する。
【００４０】
ここで、端末がＮＦＣタグを走査しない場合、現在のプロセスを終了させる。前記端末により解析されたＷｉ−Ｆｉホットスポット情報は、ＳＳＩＤ、ｓｅｃｕｒｉｔｙ（セキュリティ）およびｐａｓｓｗｏｒｄ（パスワード）などの関連情報を含むことができる。
【００４１】
ステップ３０３：端末は、解析された内容がＷｉ−Ｆｉホットスポット情報であるかどうかを判断し、そうであれば、ステップ３０４を実行し、そうでなければ、現在のプロセスを終了させる。
【００４２】
ここで、端末は、解析された内容がＵＲＩタイプのＮＤＥＦ ｒｅｃｏｒｄであるかどうかを判断する。ここで、ＵＲＩタイプのＮＤＥＦ ｒｅｃｏｒｄがＷｉ−Ｆｉホットスポット情報であると考えられる。
【００４３】
ステップ３０４：端末は、Ｗｉ−Ｆｉ機能を起動し、全ての利用可能なＷｉ−Ｆｉホットスポットを走査する。
【００４４】
本ステップは、従来技術であり、ここで詳しく説明されない。
【００４５】
ステップ３０５：端末は、解析されたＷｉ−Ｆｉホットスポット情報とマッチングされるＷｉ−Ｆｉホットスポットを検索して接続する。
【００４６】
具体的には、端末は、走査されたＷｉ−Ｆｉホットスポットから、ステップ３０２で解析されたＷｉ−Ｆｉホットスポット情報、例えばＳＳＩＤ、ｓｅｃｕｒｉｔｙ（セキュリティ）およびｐａｓｓｗｏｒｄ（パスワード）とマッチングされるＷｉ−Ｆｉホットスポットを検索して接続する。もちろん、解析されたＷｉ−Ｆｉホットスポット情報とマッチングされるＷｉ−Ｆｉホットスポットが検出されない場合、現在のプロセスを終了させる。
【００４７】
本発明に係るＮＦＣによりＷｉ−Ｆｉ接続を行うシステムは、図４に示すように、
Ｗｉ−Ｆｉホットスポットを走査し、前記走査されたＷｉ−Ｆｉホットスポットの情報を編集し、Ｗｉ−Ｆｉホットスポット情報をＮＦＣタグに書き込むことに用いられるＷｉ−Ｆｉホットスポット所有者端末と、
Ｗｉ−Ｆｉホットスポット情報を記憶することに用いられるＮＦＣタグと、
ＮＦＣタグにおけるＷｉ−Ｆｉホットスポット情報を読み取って解析し、すべての検索可能なＷｉ−Ｆｉホットスポットを走査し、解析されたＷｉ−Ｆｉホットスポット情報とマッチングされるＷｉ−Ｆｉホットスポットを検索して接続することに用いられるＷｉ−Ｆｉホットスポットユーザ端末と、を備える。
【００４８】
前記Ｗｉ−Ｆｉホットスポット所有者端末は、さらに、Ｗｉ−Ｆｉホットスポットを走査する前に、ＮＦＣ機能とＷｉ−Ｆｉ機能を起動することに用いられる。
【００４９】
前記Ｗｉ−Ｆｉホットスポットユーザ端末は、さらに、ＮＦＣタグを読み取る前に、ＮＦＣ機能を起動し、ＮＦＣタグを走査することに用いられる。
【００５０】
本発明に係る端末は、Ｗｉ−Ｆｉホットスポットを走査し、前記走査されたＷｉ−Ｆｉホットスポットの情報を編集し、Ｗｉ−Ｆｉホットスポット情報をＮＦＣタグに書き込むことに用いられる。
【００５１】
前記端末は、さらに、Ｗｉ−Ｆｉホットスポットを走査する前に、ＮＦＣ機能とＷｉ−Ｆｉ機能を起動することに用いられる。
【００５２】
本発明に係る端末は、ＮＦＣタグにおけるＷｉ−Ｆｉホットスポット情報を読み取って解析し、すべての検索可能なＷｉ−Ｆｉホットスポットを走査し、解析されたＷｉ−Ｆｉホットスポット情報とマッチングされるＷｉ−Ｆｉホットスポットを検索して接続することに用いられる。
【００５３】
前記端末は、さらに、ＮＦＣタグを読み取る前に、ＮＦＣ機能を起動し、ＮＦＣタグを走査することに用いられる。
【００５４】
本発明に係るＮＦＣタグは、Ｗｉ−Ｆｉホットスポット情報を記憶することに用いられる。
【００５５】
上記は、本発明の好適な実施の形態だけであるが、本発明の保護範囲を限定することに用いられるものではない。
【図１】
0006014173.tif 000002
【図２】
0006014173.tif 000003
【図３】
0006014173.tif 000004
【図４】
0006014173.tif 000005